(57)【要約】【課題】迅速にＰＳＩ／ＳＩのセクションを取得することが可能な電子機器を提供することを目的とする。【解決手段】地上デジタルテレビジョン放送用の受信機はチューナとＯＦＤＭデコーダ及びＴＳ処理装置とを２系統具備する。制御装置１３は、第１のデジタル放送用チューナ１０ａ及び第２のデジタル放送用チューナ１０ｂが所望の放送局から送信される電波に係る周波数であるとともに、夫々異なる周波数を選択し、所望の放送局群から送信される電波に係る周波数を選択するように制御する。また第１のデジタル放送用チューナ１０ａが番組視聴等のために使用されている場合、第２のデジタル放送用チューナ１０ｂが所望の放送局群から送信される電波に係る周波数を選択するように制御される。チューナで所望の周波数を選択後、ＯＦＤＭデコーダでトランスポートストリーム（ＴＳ）を生成し、生成されたＴＳからＴＳ処理装置でＰＳＩ／ＳＩのセクションを取得する。【選択図】  図１
2004289508.tif 000002
【特許請求の範囲】
【請求項１】
地上デジタル放送に係る第１の電波を受信する第１の受信手段と、
前記第１の受信手段で受信された前記第１の電波から第１のネットワークに関する情報を取得する第１の取得手段と、
前記第１の受信手段で受信された前記第１の電波の周波数と異なるとともに、地上デジタル放送に係る第２の電波を受信する第２の受信手段と、
前記第２の受信手段で受信された前記第２の電波から第２のネットワークに関する情報を取得する第２の取得手段と、
を具備することを特徴とする電子機器。
【請求項２】
地上デジタル放送に係る第１の電波を受信する第１の受信手段と、
前記第１の受信手段で受信された前記第１の電波から第１の番組情報を取得する第１の取得手段と、
前記第１の受信手段で受信された前記第１の電波の周波数と異なるとともに、地上デジタル放送に係る第２の電波を受信する第２の受信手段と、
前記第２の受信手段で受信された前記第２の電波から第２の番組情報を取得する第２の取得手段と、
を具備することを特徴とする電子機器。
【請求項３】
地上デジタル放送に係る第１の電波を受信する第１の受信手段と、
前記第１の受信手段で受信された前記第１の電波から第１のネットワークに関する情報を取得する第１の取得手段と、
前記第１の受信手段で前記第１の電波を受信中に、前記第１の受信手段で受信された前記第１の電波の周波数と異なるとともに、地上デジタル放送に係る第２の電波を受信する第２の受信手段と、
前記第１の取得手段で前記第１のネットワークに関する情報を取得中に、前記第２の受信手段で受信された前記第２の電波から第２のネットワークに関する情報を取得する第２の取得手段と、
を具備することを特徴とする電子機器。
【請求項４】
地上デジタル放送に係る第１の電波を受信する第１の受信手段と、
前記第１の受信手段で受信された前記第１の電波から第１の番組情報を取得する第１の取得手段と、
前記第１の受信手段で前記第１の電波を受信中に、前記第１の受信手段で受信された前記第１の電波の周波数と異なるとともに、地上デジタル放送に係る第２の電波を受信する第２の受信手段と、
前記第１の取得手段で前記第１の番組情報を取得中に、前記第２の受信手段で受信された前記第２の電波から第２の番組情報を取得する第２の取得手段と、
を具備することを特徴とする電子機器。
【請求項５】
前記第１の受信手段で受信される前記地上デジタル放送に係る第１の電波と異なる第２の電波を前記第２の受信手段に受信させるように制御する制御手段と、
を具備することを特徴とする請求項１及び請求項２記載の電子機器。
【請求項６】
放送に係る電波を受信する第１の受信手段と、
前記第１の受信手段で受信された前記電波に基づく番組に係るデータを再生する再生手段と、
前記再生手段で前記番組に係るデータを再生中に、地上デジタル放送に係る電波を受信する第２の受信手段と、
前記第２の受信手段で受信された前記電波からネットワークに関する情報を取得する取得手段と、
を具備することを特徴とする電子機器。
【請求項７】
放送に係る電波を受信する第１の受信手段と、
前記第１の受信手段で受信された前記電波に基づく番組に係るデータを再生する再生手段と、
前記再生手段で前記番組に係るデータを再生中に、地上デジタル放送に係る電波を受信する第２の受信手段と、
前記第２の受信手段で受信された前記電波から番組情報を取得する取得手段と、
を具備することを特徴とする電子機器。
【請求項８】
前記放送に係る前記電波は、地上アナログ放送に係る電波であることを特徴とする請求項６及び請求項７記載の電子機器。
【請求項９】
キャリア信号を受信するする第１の受信手段と、
前記第１の受信手段で受信された前記キャリア信号に係るとともに、地上デジタル放送に係る電波を受信する第２の受信手段と、
前記第２の受信手段で受信された前記電波からネットワークに関する情報を取得する取得手段と、
を具備することを特徴とする電子機器。
【請求項１０】
キャリア信号を受信する第１の受信手段と、
前記第１の受信手段で検出された前記キャリア信号に係るとともに、地上デジタル放送に係る電波を受信する第２の受信手段と、
前記第２の受信手段で受信された前記電波から番組情報を取得する取得手段と、
を具備することを特徴とする電子機器。
【請求項１１】
前記キャリア信号を受信する第１の受信手段は、
地上アナログ放送に係る電波を受信する受信手段であることを特徴とする請求項９及び請求項１０記載の電子機器。
【請求項１２】
第１の地上デジタル放送に係る第１の電波を受信し、
前記受信された前記第１の地上デジタル放送に係る前記第１の電波からネットワークに関する情報を取得し、
前記受信された前記第１の地上デジタル放送に係る前記第１の電波の周波数と異なるとともに、第２の地上デジタル放送に係る第２の電波を受信し、
前記受信された前記第２の地上デジタル放送に係る前記第２の電波からネットワークに関する情報を取得することを特徴とする取得方法。
【請求項１３】
第１の地上デジタル放送に係る第１の電波を受信し、
前記受信された前記第１の地上デジタル放送に係る前記第１の電波から番組情報を取得し、
前記受信された前記第１の地上デジタル放送に係る前記第１の電波の周波数と異なるとともに、第２の地上デジタル放送に係る第２の電波を受信し、
前記受信された第２の地上デジタル放送に係る前記第２の電波から番組情報を取得することを特徴とする取得方法。
【請求項１４】
放送に係る電波を受信し、
前記受信された前記電波に基づく番組に係るデータを再生し、
前記番組に係るデータを再生中に、地上デジタル放送に係る電波を受信し、
前記受信された前記地上デジタル放送に係る電波からネットワークに関する情報を取得することを特徴とする取得方法。
【請求項１５】
放送に係る電波を受信し、
前記受信された前記電波に基づく番組に係るデータを再生し、
前記番組に係るデータを再生中に、地上デジタル放送に係る電波を受信し、
前記受信された前記地上デジタル放送に係る電波から番組情報を取得することを特徴とする取得方法。
【請求項１６】
前記放送に係る電波は、地上アナログ放送に係る電波であることを特徴とする請求項１４及び請求項１５記載の取得方法。
【請求項１７】
キャリア信号を受信し、
前記受信された前記キャリア信号に係るとともに、地上デジタル放送に係る電波を受信し、
前記受信された前記地上デジタル放送に係る電波からネットワークに関する情報を取得することを特徴とする取得方法。
【請求項１８】
キャリア信号を受信し、
前記受信された前記キャリア信号に係るとともに、地上デジタル放送に係る電波を受信し、
前記受信された前記地上デジタル放送に係る電波から番組情報を取得することを特徴とする取得方法。
【請求項１９】
地上アナログ放送に係る電波を受信する際に前記キャリア信号を受信することを特徴とする請求項１７及び請求項１８記載の電子機器。
【発明の詳細な説明】
【０００１】
【発明の属する技術分野】
本発明は、デジタル放送に関し、特に地上デジタル放送における受信機に関する。
【０００２】
【従来の技術】
近年、ＢＳ（Ｂｒｏａｄｃａｓｔｉｎｇ  Ｓａｔｅｌｌｉｔｅ）デジタル放送や広帯域ＣＳ（Ｃｏｍｍｕｎｉｃａｔｉｏｎ  Ｓａｔｅｌｌｉｔｅ）デジタル放送等のデジタル放送が行われている。ＢＳデジタル放送、広帯域ＣＳデジタル放送では、衛星から電波が送出されるため、日本国内において同一の放送内容を受信することが可能である。また、放送に使用される衛星を予め決めることで、放送局を選局するための周波数が決められている。
【０００３】
更に、各放送局の番組配列情報を一度、センターに集め、これらの放送局のチャネル情報及び番組情報等を纏めた後、再度、当該纏められた情報を各放送局に送信する全局ＳＩ（Ｓｅｒｖｉｃｅ  Ｉｎｆｏｒｍａｔｉｏｎ）というシステムが導入されているので、どの放送局から送信される電波を受信しても、前記纏められた情報を受信することが可能である。従って、ある放送局から送信される電波を一定時間、受信していれば、ＥＰＧ（Ｅｌｅｃｔｒｏｎｉｃ  Ｐｒｏｇｒａｍ  Ｇｕｉｄｅ）表示等に必要な番組情報が受信できる。
【０００４】
上記のように番組情報を取得する発明として、迅速に長期番組情報を取得することが可能なデジタル通信システムに関する発明がなされていた（特許文献１参照。）。
【０００５】
さて、２００３年に放送開始が予定されている地上デジタル放送は地上波放送方式であるために、地域によって放送を担当する放送局が異なる。このため受信機を設置した時に、全ての放送局から送信される電波を受信し、これらの電波の周波数を調べる初期スキャンと呼ばれる動作が必要である。また、新規に放送局が開局された場合、この放送局から送信される電波を受信可能とするための手段として、全ての放送局から送信される電波を受信し、これらの電波の周波数を調べ、受信可能な電波の周波数の情報を更新する再スキャンと呼ばれる操作が必要である。
【特許文献１】
特開２０００−１３７５６号公報（第６頁、第３図）
【０００６】
【発明が解決しようとする課題】
しかし、上記初期スキャンや再スキャンを行う場合、あるいは蓄積されていない番組情報を新たに取得する場合、それぞれの放送局から送信される電波を受信することでＰＳＩ／ＳＩのセクションを取得する必要があり、そのために非常に長い時間を必要とした。
【０００７】
そこで、本発明は上記問題を鑑みてなされたもので、迅速にＰＳＩ／ＳＩのセクションを取得することが可能な電子機器を提供することを目的とする。
【０００８】
【課題を解決するための手段】
上記目的を達成するために、請求項１に係る発明では、地上デジタル放送に係る第１の電波を受信する第１の受信手段と、第１の受信手段で受信された第１の電波から第１のネットワークに関する情報を取得する第１の取得手段と、第１の受信手段で受信された第１の電波の周波数と異なるとともに、地上デジタル放送に係る第２の電波を受信する第２の受信手段と、第２の受信手段で受信された第２の電波から第２のネットワークに関する情報を取得する第２の取得手段とを具備することを特徴とする。
【０００９】
このような構成により、迅速にＰＳＩのセクションを取得することが可能となる。
【００１０】
また、請求項２に係る発明では、地上デジタル放送に係る第１の電波を受信する第１の受信手段と、第１の受信手段で受信された第１の電波から第１の番組情報を取得する第１の取得手段と、第１の受信手段で受信された第１の電波の周波数と異なるとともに、地上デジタル放送に係る第２の電波を受信する第２の受信手段と、第２の受信手段で受信された第２の電波から第２の番組情報を取得する第２の取得手段とを具備することを特徴とする。
【００１１】
このような構成により、迅速にＳＩのセクションを取得することが可能となる。
【００１２】
また、請求項６に係る発明では、放送に係る電波を受信する第１の受信手段と、第１の受信手段で受信された電波に基づく番組に係るデータを再生する再生手段と、再生手段で番組に係るデータを再生中に、地上デジタル放送に係る電波を受信する第２の受信手段と、第２の受信手段で受信された電波からネットワークに関する情報を取得する取得手段とを具備することを特徴とする。
【００１３】
このような構成により、番組を視聴しながらＰＳＩのセクションを取得することが可能となる。
【００１４】
また、請求項７に係る発明では、放送に係る電波を受信する第１の受信手段と、第１の受信手段で受信された電波に基づく番組に係るデータを再生する再生手段と、再生手段で番組に係るデータを再生中に、地上デジタル放送に係る電波を受信する第２の受信手段と、第２の受信手段で受信された電波から番組情報を取得する取得手段とを具備することを特徴とする。
【００１５】
このような構成により、番組を視聴しながらＳＩのセクションを取得することが可能となる。
【００１６】
また、請求項９に係る発明では、キャリア信号を受信するする第１の受信手段と、第１の受信手段で受信されたキャリア信号に係るとともに、地上デジタル放送に係る電波を受信する第２の受信手段と、第２の受信手段で受信された電波からネットワークに関する情報を取得する取得手段とを具備することを特徴とする。
【００１７】
このような構成により、キャリア信号が無い周波数に係る電波を受信せずに、迅速にＰＳＩのセクションを取得することが可能となる。
【００１８】
また、請求項１０に係る発明では、キャリア信号を受信するする第１の受信手段と、第１の受信手段で受信されたキャリア信号に係るとともに、地上デジタル放送に係る電波を受信する第２の受信手段と、第２の受信手段で受信された電波から番組情報を取得する取得手段とを具備することを特徴とする。
【００１９】
このような構成により、キャリア信号が無い周波数に係る電波を受信せずに、迅速にＳＩのセクションを取得することが可能となる。
【００２０】
また、請求項１２に記載の発明では、第１の地上デジタル放送に係る第１の電波を受信し、受信された第１の地上デジタル放送に係る第１の電波からネットワークに関する情報を取得し、受信された第１の地上デジタル放送に係る第１の電波の周波数と異なるとともに、第２の地上デジタル放送に係る第２の電波を受信し、受信された第２の地上デジタル放送に係る第２の電波からネットワークに関する情報を取得することを特徴とする。
【００２１】
このような構成により、迅速にＰＳＩのセクションを取得することが可能となる。
【００２２】
また、請求項１３に記載の発明では、第１の地上デジタル放送に係る第１の電波を受信し、受信された第１の地上デジタル放送に係る第１の電波から番組情報を取得し、受信された第１の地上デジタル放送に係る第１の電波の周波数と異なるとともに、第２の地上デジタル放送に係る第２の電波を受信し、受信された第２の地上デジタル放送に係る第２の電波から番組情報を取得することを特徴とする。
【００２３】
このような構成により、迅速にＳＩのセクションを取得することが可能となる。
【００２４】
また、請求項１４に記載の発明では、放送に係る電波を受信し、受信された電波に基づく番組に係るデータを再生し、番組に係るデータを再生中に、地上デジタル放送に係る電波を受信し、受信された地上デジタル放送に係る電波からネットワークに関する情報を取得することを特徴とする。
【００２５】
このような構成により、番組を視聴しながらＰＳＩのセクションを取得することが可能となる。
【００２６】
また、請求項１５に記載の発明では、放送に係る電波を受信し、受信された電波に基づく番組に係るデータを再生し、番組に係るデータを再生中に、地上デジタル放送に係る電波を受信し、受信された地上デジタル放送に係る電波から番組情報を取得することを特徴とする。
【００２７】
このような構成により、番組を視聴しながらＳＩのセクションを取得することが可能となる。
【００２８】
また、請求項１７に記載の発明では、キャリア信号を受信し、受信されたキャリア信号に係るとともに、地上デジタル放送に係る電波を受信し、受信された地上デジタル放送に係る電波からネットワークに関する情報を取得することを特徴とする。
【００２９】
このような構成により、キャリア信号が無い周波数に係る電波を受信せずに、迅速にＰＳＩのセクションを取得することが可能となる。
【００３０】
また、請求項１８に記載の発明では、キャリア信号を受信し、受信されたキャリア信号に係るとともに、地上デジタル放送に係る電波を受信し、受信された地上デジタル放送に係る電波から番組情報を取得することを特徴とする。
【００３１】
このような構成により、キャリア信号が無い周波数に係る電波を受信せずに、迅速にＳＩのセクションを取得することが可能となる。
【００３２】
【発明の実施の形態】
以下本発明に係る実施の形態を、図面を参照して説明する。
【００３３】
図１は、第１の地上デジタルテレビジョン放送受信機のハードウェアブロック図である。
【００３４】
制御装置１３は、受信機本体に設けられる入力ボタン又はリモコン等の入力装置１４からの選局命令を受信する。アンテナ２は、送信装置から地上波として送信されてきた電波を捕捉する。
【００３５】
第１のデジタル放送用チューナ１０ａ及び第２のデジタル放送用チューナ１０ｂは、地上デジタルテレビジョン放送に対応したチューナである。これらのチューナは制御装置１３が受信した選局命令に基いて、所望の放送局から送信される電波の周波数を選択する。
【００３６】
第１のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）デコーダ１１ａ及び第２のＯＦＤＭデコーダ１１ｂは、チューナで選択した周波数に係るとともにアンテナ２で捕捉された電波をデコードすることで、トランスポートストリームを生成する。
【００３７】
第１のＴＳ（Ｔｒａｓｎｐｏｒｔ  Ｓｔｒｅａｍ）処理装置１２ａ及び第２のＴＳ処理装置１２ｂは、番組情報取得等に係るＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）のセクション抽出や、パケット化されている映像及び音声データから構成されるＥＳ（Ｅｌｅｍｅｎｔａｒｙ  Ｓｔｒｅａｍ）の選択を行う。
【００３８】
ＰＳＩ／ＳＩのセクションとして、例えば次に示すセクションがある。ＰＳＩを構成するセクションの一つとして、受信中の電波に係る放送局（ネットワーク）に関する情報が記載されるＮＩＴ（Ｎｅｔｗｏｒｋ  ＩｎｆｏｒｍａｔｉｏｎＴａｂｌｅ）がある。各放送局のＮＩＴを順次取得することで、初期スキャン及び再スキャンが行われる。また、ＳＩを構成するセクションの一つとして、番組名称、放送日時等の番組に関連する情報が記載されるＥＩＴ（Ｅｖｅｎｔ  Ｉｎｆｏｒｍａｔｉｏｎ  Ｔａｂｌｅ）がある。各放送局のＥＩＴを順次取得することで、各放送局の番組情報の取得が行われる。
【００３９】
第１のＴＳ処理装置１２ａ及び第２のＴＳ処理装置１２ｂで抽出されたＰＳＩ／ＳＩのセクションは記憶装置１５に記憶される。また、選択されたＥＳはＭＰＥＧデコーダ１６に送信される。
【００４０】
制御装置１３がＯＳＤ（Ｏｎ  Ｓｃｒｅｅｎ  Ｄｉｐｌａｙ）装置１８を制御することで、記憶装置１５に記憶されるＳＩのセクションであるＥＩＴに基いて、表示装置１９にＥＰＧ（Ｅｌｅｃｔｒｉｃ  Ｐｒｏｇｒａｍ  Ｇｕｉｄｅ）等を表示する。また、ＭＰＥＧデコーダ１６はＥＳをデコードし、その結果生成された映像及び音声信号は、表示装置１９及びスピーカ１７により再生される。
【００４１】
図１に示すように、地上デジタルテレビジョン放送用の受信機はチューナとＯＦＤＭデコーダ及びＴＳ処理装置（以下、チューナ群と称す。）とが２系統設けられている。制御装置１３は、２つの所望の放送局から送信される電波を受信するために、第１のデジタル放送用チューナ１０ａ及び第２のデジタル放送用チューナ１０ｂの２つのチューナ及び第１のＴＳ処理装置１２ａ及び第２のＴＳ処理装置１２ｂの２つのＴＳ処理装置を制御する。これらの２系統分のチューナ群を番組視聴以外の処理に使用することが可能である。
【００４２】
図２は、図１を用いて説明した第１の受信機を使用する実施例を説明するフローチャートである。
【００４３】
以下、フローチャートに従い第１の実施例を説明する。視聴者が番組を視聴していない場合（ステップＳ１  ｎｏ）、第１のデジタル放送用チューナ１０ａは、所望の放送局から送信される電波に係る周波数を選択する（ステップＳ２）。ＯＦＤＭデコーダ１１ａが、選択された周波数に係る電波をデコードすることで、トランスポートストリームを生成する。さらにＴＳ処理装置１２ａは、生成されたトランスポートストリームからＮＩＴ及びＥＩＴを取得する。ＮＩＴに基いて初期スキャン又は再スキャンが行なわれ、ＥＩＴに基いて番組情報取得が行なわれる。
【００４４】
制御装置１３は、第２のデジタル放送用チューナ１０ｂが、第１のデジタル放送用チューナ１０ａが選択した周波数に係る放送局以外の所望の放送局から送信される電波の周波数を選択するように制御する（ステップＳ３）。第２のデジタル放送用チューナ１０ｂが選択した周波数に係る電波に基いて、上記で説明した内容と同様にＮＩＴ及びＥＩＴを取得し、ＮＩＴに基いて初期スキャン又は再スキャンを行い、ＥＩＴに基いて番組情報取得を行う。
【００４５】
第１のデジタル放送用チューナ１０ａ及び第２のデジタル放送用チューナ１０ｂを用いて、所望の放送局群から送信される電波の周波数を選択し、再スキャン等の処理を完了させた場合（ステップＳ４  ｙｅｓ）、制御装置１３による所望の放送局群から送信される電波の周波数の選択制御は終了する。
【００４６】
所望の放送局群から送信される電波の周波数を全て選択していない場合（ステップＳ４  ｎｏ）、制御装置１３は、第１のデジタル放送用チューナ１０ａ及び第２のデジタル放送用チューナ１０ｂが所望の放送局から送信される電波の周波数のうちお互いに未選択の周波数を選択し合い、２つのチューナを用いて選局すべき全ての放送局から送信される電波の周波数を選択するように制御する。
【００４７】
このように再スキャンといった処理内容を２系統分のチューナ群を使用して処理することで、１系統分のチューナ群を使用して処理する場合と比較して、迅速に再スキャン等の処理をすることが可能となる。
【００４８】
尚、図１を用いて説明した第１の地上デジタルテレビジョン放送用受信機の構成は２系統の地上デジタル放送用チューナ群を装備しているが、３系統、４系統・・・といった具合に、装備される地上デジタル放送用チューナ群を増加させることによって、上記の第１の実施例で説明した実施例の効果と比較して、さらに迅速に再スキャン等の処理することが可能となる。
【００４９】
視聴者が番組を視聴している場合（ステップＳ１  ｙｅｓ）、２系統分のチューナ群のうち１系統のチューナ群は、視聴者が番組を視聴するために使用されている。そこで制御部１３は、視聴者が番組を視聴している間において、使用されていない１系統のチューナ群を使用して、所望の放送局から送信される電波の周波数を選択し、上記で説明した内容と同様にＮＩＴ及びＥＩＴを取得し、ＮＩＴに基いて再スキャンを行い、ＥＩＴに基いて番組情報取得を行うように制御する（ステップＳ５）。
【００５０】
視聴者が番組を視聴している間において、使用されていない１系統のチューナ群を用いて、所望の放送局群から送信される電波の周波数を選択し、再スキャン等の処理を完了させた場合（ステップＳ６  ｙｅｓ）、制御装置１３による所望の放送局群から送信される電波の周波数の選択制御は終了する。
【００５１】
所望の放送局群から送信される電波の周波数を全て選択していない場合（ステップＳ６  ｎｏ）、制御部１３は、番組視聴に使用されていない１系統のチューナ群が、選局すべき全ての放送局から送信される電波の周波数を選択するように制御する。
【００５２】
上記のように番組視聴のために使用されていないチューナ群を使用して、再スキャンといった処理内容を処理することで、視聴者が番組を視聴しながら、同時に再スキャン又は番組情報取得等の処理を行うことが可能となる。使用されていないチューナ群を使用して再スキャンを行うと、常に最新の選局情報を取得することが可能となる。また、使用されていないチューナ群を使用して番組情報取得処理を行うと、視聴していない番組に係る番組情報取得することが可能となる。
【００５３】
図３は、第２の地上デジタルテレビジョン放送受信機のハードウェアブロック図である。
【００５４】
制御装置２３は、受信機本体に設けられる入力ボタン又はリモコン等の入力装置２４からの選局命令を受信する。アンテナ２は、送信装置から地上波として送信されてきた電波を捕捉する。
【００５５】
地上デジタル放送用チューナ２０ａは、地上デジタルテレビジョン放送に係る電波の周波数を選択する。また地上アナログ放送用チューナ２０ｂは、地上アナログテレビジョン放送に係る電波の周波数を選択する。これらのチューナは制御装置２３が受信した選局命令に基いて、所望の放送局から送信される電波の周波数を選択する。
【００５６】
復調装置２１ｂは、地上アナログ放送用チューナ２０ｂで選択した周波数に係るとともにアンテナ２で捕捉された電波を復調する。
【００５７】
ＯＦＤＭデコーダ２１ａ、ＴＳ処理装置２２、記憶装置２５、ＭＰＥＧデコーダ２６、スピーカ２７、ＯＳＤ装置２８及び表示装置２９の夫々の構成の機能は、図２を用いて説明した内容と同様である。
【００５８】
図４は、図３を用いて説明した第２の受信機を使用する第２の実施例を説明するフローチャートである。
【００５９】
第２の実施例を説明する。視聴者が地上アナログテレビジョン放送に係る番組を視聴している場合（ステップＳ７  ｙｅｓ）、地上デジタル放送用チューナ２０ａは使用されていない。
【００６０】
そこで、制御装置２３は、視聴者がアナログテレビジョン放送に係る番組を視聴している間に、使用されていない地上デジタル放送用チューナ２０ａが所望の放送局から送信される電波の周波数を選択するように制御する（ステップＳ８）。ＯＦＤＭデコーダ２１ａが選択された周波数に係る電波をデコードすることで、トランスポートストリームを生成し、さらにＴＳ処理装置２２は、生成されたトランスポートストリームからＮＩＴ及びＥＩＴを取得する。ＮＩＴに基いて初期スキャン又は再スキャンが行なわれ、ＥＩＴに基いて番組情報取得が行なわれる。
【００６１】
地上デジタル放送用チューナ２０ａを用いて、所望の放送局群から送信される電波の周波数を選択し、再スキャン等の処理を完了させた場合（ステップＳ９  ｙｅｓ）、制御装置２３による所望の放送局群から送信される電波の周波数の選択制御は終了する。
【００６２】
所望の放送局群から送信される電波の周波数を全て選択していない場合（ステップＳ９  ｎｏ）、制御部２３は、地上デジタル放送用チューナ２０ａが、選局すべき全ての放送局から送信される電波の周波数を順次、選択し、さらに選択された夫々の周波数に係る電波に基いて再スキャン又は番組情報取得が行なわれるように制御する。
【００６３】
上記のように番組視聴のために使用されていない地上デジタル放送用チューナを使用して、再スキャン処理といった処理内容を処理することで、視聴者が地上アナログテレビジョン放送等に係る番組を視聴しながら、同時に再スキャン又は番組情報取得等の処理を行うことが可能となる。
【００６４】
使用されていないデジタル放送に係るチューナ群を使用して再スキャン処理を行うと、常に最新の選局情報を取得することが可能となる。また、使用されていないチューナ群を使用して番組情報取得処理を行うと、視聴されていない地上デジタルテレビジョン放送に係る番組に関する番組情報取得することが可能となる。
【００６５】
尚、上記で説明した実施例において、地上デジタル放送用チューナ２０ａと地上アナログ放送用チューナ２０ｂとを搭載した構成で説明したが、地上アナログ放送用チューナ２０ｂ等以外に、ＢＳデジタル放送用チューナや広帯域ＣＳデジタル放送用チューナ等を搭載した構成にしてもよい。
【００６６】
さらに、図３を用いて説明した第２の地上デジタルテレビジョン放送用受信機の構成は１系統の地上デジタル放送用チューナ群を装備しているが、２系統、３系統・・・といった具合に、装備される地上デジタル放送用チューナ群を増加させることによって、上記の第２の実施例で説明した実施例の効果と比較して、さらに迅速に再スキャン等の処理することが可能となる。
【００６７】
図５は、図３を用いて説明した第２の受信機を使用する第３の実施例を説明するフローチャートである。
【００６８】
第３の実施例を説明する。制御装置２３は以下に説明する制御を行う。地上アナログ放送用チューナ２０ｂはキャリア信号を順次、受信する（ステップＳ１０）。受信されたキャリア信号に係る周波数の値は、記憶装置２５に記憶される（ステップＳ１１）。地上デジタル放送用チューナ２０ａは、記憶装置２５に記憶されている周波数値に基いて、周波数を選択する（ステップＳ１２）。選択された周波数に係るとともに、地上デジタル放送に係る電波に基き、ＯＦＤＭレコーダ２１ａ及びＴＳ処理装置２２は再スキャン又は番組情報取得を行う。
【００６９】
地上デジタル放送用チューナ２０ａは、記憶装置２５に記憶されているとともに所望の放送局群から送信される電波の周波数を選択し、再スキャン等の処理を完了させた場合（ステップＳ１３  ｙｅｓ）、制御装置１３による制御は終了する。
【００７０】
所望の放送局群から送信される電波の周波数を全て選択していない場合（ステップＳ１３  ｎｏ）、制御部２３は、地上デジタル放送用チューナ２０ａが記憶装置２５に記憶されているとともに所望の放送局群から送信される電波の周波数を選択し、選択された周波数に係る電波に基き、ＯＦＤＭレコーダ２１ａ及びＴＳ処理装置２２が再スキャン等の処理を行うように制御する。
【００７１】
地上アナログ放送用チューナ２０ｂを用いて、予めキャリア信号を受信することで、地上デジタル放送用チューナ２０ａは、受信されないキャリア信号に係る周波数を選択する必要は無く、キャリア信号を全て受信する場合と比較して、短時間で初期スキャン、再スキャン又は番組情報取得を行うことが可能となる。
【００７２】
本発明ではその主旨を逸脱しない範囲であれば、上記の実施形態に限定されるものではない。そして、ＰＳＩ／ＳＩのセクションを取得するデジタル放送用の装置に広く適用できるものである。
【００７３】
【発明の効果】
以上詳述した発明によれば、迅速にＰＳＩ／ＳＩのセクションを取得することが可能である。
【図面の簡単な説明】
【図１】第１の地上デジタルテレビジョン放送受信機のハードウェアブロック図。
【図２】図１を用いて説明した第１の受信機を使用する第１の実施例を説明するフローチャート。
【図３】第２の地上デジタルテレビジョン放送受信機のハードウェアブロック図。
【図４】図３を用いて説明した第２の受信機を使用する第２の実施例を説明するフローチャート。
【図５】図３を用いて説明した第２の受信機を使用する第３の実施例を説明するフローチャート。
【符号の説明】
２…ＵＨＦ用アンテナ、１０ａ…第１のチューナ、１０ｂ…第２のチューナ、
１１ａ…第１のＯＦＤＭデコーダ、１１ｂ…第２のＯＦＤＭデコーダ、
１２ａ…第１のＴＳ処理装置、１２ｂ…第２のＴＳ処理装置、
１３，２３…制御装置、１４，２４…入力装置、１５，２５…記憶装置、
１６，２６…ＭＰＥＧデコーダ、１７，２７…スピーカ、
１８，２８…ＯＳＤ装置、１９，２９…表示装置、
２０ａ…地上デジタル放送用チューナ、
２０ｂ…地上アナログ放送用チューナ、
２１ａ…ＯＦＤＭデコーダ、２１ｂ…復調装置、２２…ＴＳ処理装置、
【図１】
2004289508.tif 000003
【図２】
2004289508.tif 000004
【図３】
2004289508.tif 000005
【図４】
2004289508.tif 000006
【図５】
2004289508.tif 000007